【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
走行車体（２）の後端部に昇降リンク（１４）を設け、苗移植機と播種機（３）を含む複数種の作業機を選択的に装着するべく、前記作業機を着脱可能な着脱ヒッチ（１６）を昇降リンク（１４）の先端部に設けた多目的機において、播種機（３）は、圃場を均平化するための複数のフロート（１９）を各々のフロート取付構造体（１００，１０１，１０２）に取り付け、各々のフロート（１９）に播種用の作溝器（７）を取り付けた構成とし、複数種の播種条間に対応する複数種のフロート取付構造体（１００，１０１，１０２）を互いに左右方向の位置を異ならせて設け、フロート（１９）を取り付けるフロート取付構造体（１００，１０１，１０２）を選択することによりフロート（１９）の左右方向の位置を変更可能な構成とした多目的機。
【請求項２】
複数のフロート（１９）に対応して複数個設けたフロート取付構造体（１００，１０１，１０２）のうち、一部のフロート取付構造体（１００、１０１）を、異なる播種条間のときの別種のフロート取付構造体として共用し得る位置に配置した請求項１に記載の多目的機。
【請求項３】
一部のフロート取付構造体（１００、１０１）からスペーサ（１０３）を介してフロート（１９）を取り付け、前記一部のフロート取付構造体（１００、１０１）を異なる播種条間のときの別種のフロート取付構造体として共用する構成とした請求項２に記載の多目的機。
【請求項４】
播種機（３）は、種子タンク（４）と、種子タンク（４）の下側に設けた繰出装置（５）と、繰出装置（５）の下方から播種用の作溝器（７）の上部の種子供給口へ向けて延びる移送菅（６）を備え、繰出装置（５）は、多数の種子溝（２１）を形成した繰り出しロール（２２）と、繰り出しロール（２２）の表面に接触するブラシ（２６）を備え、繰り出しロール（２２）の回転方向下手側となるブラシ（２６）の側面に、ブラシ（２６）の変形を抑える鉄板（２６ａ）を設けた請求項１に記載の多目的機。
【請求項５】
フロート（１９）の前後傾斜角を検出するフロートセンサ（８４）を設け、フロートセンサ（８４）の検出値が所定値となるよう播種機（３）を昇降制御する構成とし、播種機（３）の昇降制御における制御感度を変更する感度調節ダイヤル（８５）を設け、土壌に突入して圃場の硬軟を検出する硬軟センサ（８６）を設け、播種条の側方に排水溝を形成する排水用の作溝器（３３）を、複数のフロート（１９）の間で且つ上下方向に回動するアーム（３５）の回動先端部に設け、アーム（３５）を回動付勢する作溝器押圧スプリング（８７）を設け、作溝器押圧スプリング（８７）を操作して排水用の作溝器（３３）の圃場への押し付け荷重を変更する排水用作溝器上下用モータ（１０５）を設け、感度調節ダイヤル（８５）による播種部（３）の昇降制御における制御感度又は硬軟センサ（８６）による圃場の硬軟の検知結果に連動して、排水用作溝器上下用モータ（１０５）の作動を制御する制御部（６５ａ）を設け、アーム（３５）と一体のスタンド（１０６）を設けた請求項１に記載の多目的機。
【請求項６】
走行車体（２）の後端部に昇降リンク（１４）を設け、苗移植機と播種機（３）を含む複数種の作業機を選択的に装着するべく、前記作業機を着脱可能な着脱ヒッチ（１６）を昇降リンク（１４）の先端部に設けた多目的機において、ロータ部（１２０）を着脱ヒッチ（１６）よりも走行車体（２）側に設けた多目的機。
【手続補正２】
【補正対象書類名】明細書
【補正対象項目名】発明の名称
【補正方法】変更
【補正の内容】
【発明の名称】多目的機
【手続補正３】
【補正対象書類名】明細書
【補正対象項目名】０００１
【補正方法】変更
【補正の内容】
【０００１】
本発明は、苗移植機や種などを圃場に直接播く播種機の複数の作業機を選択的に装着できる多目的機に関する。
【手続補正４】
【補正対象書類名】明細書
【補正対象項目名】０００４
【補正方法】変更
【補正の内容】
【０００４】
本発明の課題は、苗移植機と播種機を含む複数種の作業機を選択的に装着できる多目的機の汎用性を高めることである。
【手続補正５】
【補正対象書類名】明細書
【補正対象項目名】０００５
【補正方法】変更
【補正の内容】
【０００５】
本発明の上記課題は、次の解決手段で解決される。
請求項１記載の発明は、走行車体（２）の後端部に昇降リンク（１４）を設け、苗移植機と播種機（３）を含む複数種の作業機を選択的に装着するべく、前記作業機を着脱可能な着脱ヒッチ（１６）を昇降リンク（１４）の先端部に設けた多目的機において、播種機（３）は、圃場を均平化するための複数のフロート（１９）を各々のフロート取付構造体（１００，１０１，１０２）に取り付け、各々のフロート（１９）に播種用の作溝器（７）を取り付けた構成とし、複数種の播種条間に対応する複数種のフロート取付構造体（１００，１０１，１０２）を互いに左右方向の位置を異ならせて設け、フロート（１９）を取り付けるフロート取付構造体（１００，１０１，１０２）を選択することによりフロート（１９）の左右方向の位置を変更可能な構成とした多目的機である。
請求項２記載の発明は、複数のフロート（１９）に対応して複数個設けたフロート取付構造体（１００，１０１，１０２）のうち、一部のフロート取付構造体（１００、１０１）を、異なる播種条間のときの別種のフロート取付構造体として共用し得る位置に配置した請求項１に記載の多目的機である。
請求項３記載の発明は、一部のフロート取付構造体（１００、１０１）からスペーサ（１０３）を介してフロート（１９）を取り付け、前記一部のフロート取付構造体（１００、１０１）を異なる播種条間のときの別種のフロート取付構造体として共用する構成とした請求項２に記載の多目的機である。
請求項４記載の発明は、播種機（３）は、種子タンク（４）と、種子タンク（４）の下側に設けた繰出装置（５）と、繰出装置（５）の下方から播種用の作溝器（７）の上部の種子供給口へ向けて延びる移送菅（６）を備え、繰出装置（５）は、多数の種子溝（２１）を形成した繰り出しロール（２２）と、繰り出しロール（２２）の表面に接触するブラシ（２６）を備え、繰り出しロール（２２）の回転方向下手側となるブラシ（２６）の側面に、ブラシ（２６）の変形を抑える鉄板（２６ａ）を設けた請求項１に記載の多目的機である。
請求項５記載の発明は、フロート（１９）の前後傾斜角を検出するフロートセンサ（８４）を設け、フロートセンサ（８４）の検出値が所定値となるよう播種機（３）を昇降制御する構成とし、播種機（３）の昇降制御における制御感度を変更する感度調節ダイヤル（８５）を設け、土壌に突入して圃場の硬軟を検出する硬軟センサ（８６）を設け、播種条の側方に排水溝を形成する排水用の作溝器（３３）を、複数のフロート（１９）の間で且つ上下方向に回動するアーム（３５）の回動先端部に設け、アーム（３５）を回動付勢する作溝器押圧スプリング（８７）を設け、作溝器押圧スプリング（８７）を操作して排水用の作溝器（３３）の圃場への押し付け荷重を変更する排水用作溝器上下用モータ（１０５）を設け、感度調節ダイヤル（８５）による播種部（３）の昇降制御における制御感度又は硬軟センサ（８６）による圃場の硬軟の検知結果に連動して、排水用作溝器上下用モータ（１０５）の作動を制御する制御部（６５ａ）を設け、アーム（３５）と一体のスタンド（１０６）を設けた請求項１に記載の多目的機である。
請求項６記載の発明は、走行車体（２）の後端部に昇降リンク（１４）を設け、苗移植機と播種機（３）を含む複数種の作業機を選択的に装着するべく、前記作業機を着脱可能な着脱ヒッチ（１６）を昇降リンク（１４）の先端部に設けた多目的機において、ロータ部（１２０）を着脱ヒッチ（１６）よりも走行車体（２）側に設けた多目的機である。
【手続補正６】
【補正対象書類名】明細書
【補正対象項目名】０００６
【補正方法】変更
【補正の内容】
【０００６】
請求項１記載の発明によれば、苗移植機を着脱ヒッチ（１６）に装着すれば田植機となり、播種機（３）を着脱ヒッチ（１６）に装着すれば直播機となり、多目的機を構成でき、汎用性が高まる。また、播種機（３）を装着したとき、複数のフロート（１９）の左右方向の配置位置を複数種のフロート取付構造体（１００〜１０２）により変更可能であるので、一つの播種機（３）で複数の条間で播種をすることができ、簡単な構造で作物の品種や地域ごとの栽培形態に応じて条間を変更することができ、汎用性が高まる。
請求項２記載の発明によれば、請求項１記載の発明の効果に加えて、一部のフロート取付構造体（１００、１０１）を、異なる播種条間のときの別種のフロート取付構造体として共用でき、汎用性が高まる。
請求項３記載の発明によれば、請求項２記載の発明の効果に加えて、一部のフロート取付構造体（１００、１０１）からスペーサ（１０３）を介してフロート（１９）を取り付けることにより、前記一部のフロート取付構造体（１００、１０１）を異なる播種条間のときの別種のフロート取付構造体として共用でき、汎用性が高まる。
請求項４記載の発明によれば、請求項１記載の発明の効果に加えて、鉄板（２６ａ）により、ブラシ（２６）の摩耗と変形を抑制できる。
請求項５記載の発明によれば、請求項１記載の発明の効果に加えて、圃場の土壌の硬軟に連動して排水用の作溝器（３３）の押し付け力を変更でき、土壌の硬軟に拘らず排水用の作溝器（３３）により所定深さに作溝することができる。また、スタンド（１０６）を収納しない限り排水用の作溝器（３３）が下がらないので、排水用の作溝器（３３）の下げ忘れを防止することができる。さらに、スタンド（１０６）に溝切りの深さ調節のレバーの役割をさせることができる。
請求項６記載の発明によれば、苗移植機を着脱ヒッチ（１６）に装着すれば田植機となり、播種機（３）を着脱ヒッチ（１６）に装着すれば直播機となり、多目的機を構成でき、しかも、田植機としたときも直播機としたときも共通のロータ部（１２０）をそのまま用いることができ、汎用性が高まる。